(57)【要約】  本願は、導波路、環状溝、高周波フィード、および媒体リングを含む同軸双周波数アンテナを開示する。導波路は第１の電磁波を伝送するために管状構造である。導波路の壁は第１の電磁波の出力方向と同じ開口方向を有している環状溝が提供されている。第１の電磁波の周波数は高周波フィードによって放射された電磁波の周波数より低い。高周波フィードは導波路内に位置しており、導波路と同軸であり、第１の電磁波は導波路内で横電界モードＴＥ１１を励起する。媒体リングは導波路と高周波フィードとの間に充填され、媒体リングは導波路と同軸な多層構造である。軸に垂直な媒体リングの各層の平面の面積は交互に変化する。媒体リングの高さは導波路の高さよりも低い。従来技術と比較して、本願は、導波路内の高次モードの損失を回避すること、媒体リングを省略すること、および同軸双周波数アンテナの放射効率を増大させることができる。
2019523615.tif 000002
【特許請求の範囲】
【請求項１】
導波管、環状溝、高周波フィード、および誘電体リングを含む同軸デュアルバンドアンテナであって、
前記導波管は管状構造を有しており、第１の電磁波を伝送するように構成されており、その開口方向が前記第１の電磁波の出力方向と同じである前記環状溝が前記導波管の壁上にあり、前記第１の電磁波の周波数は、前記高周波フィードによって伝送される電磁波の周波数よりも低く、
前記高周波フィードは前記導波管内に位置しており、前記導波管と同じ軸を有しており、前記第１の電磁波は前記導波管内で横電界モードＴＥ１１を励起し、
前記誘電体リングは前記導波管と前記高周波フィードとの間に充填され、前記誘電体リングは多層構造を有しており、前記導波管と同じ軸を有しており、前記誘電体リングの層における、および前記軸に垂直な平面の領域の大きさは交互に変化し、前記誘電体リングの高さは前記導波管の高さよりも低い、アンテナ。
【請求項２】
前記高周波フィードの高さは、前記導波管の高さと同じである、請求項１に記載のアンテナ。
【請求項３】
前記導波管の内壁の半径および前記高周波フィードの外壁の半径の合計が、前記第１の電磁波の波長の１／πより大きく、２つの半径の間の差は、前記第１の電磁波の波長の１／２より小さい、請求項１に記載のアンテナ。
【請求項４】
前記環状溝の半径と前記導波管の前記内壁の半径との間の差が、前記第１の電磁波の波長の１／８である、請求項１から３のいずれか一項に記載のアンテナ。
【請求項５】
前記環状溝の深さは、前記第１の電磁波の波長の１／５から１／４の間であり、前記環状溝の幅は、前記第１の電磁波の波長の１／８である、請求項４に記載のアンテナ。
【請求項６】
前記誘電体リングの隣接する２つの層のうちの一方のみの外壁が前記導波管の前記内壁に接続されており、前記誘電体リングの前記層における内壁が前記高周波フィードの前記外壁に接続されている、請求項１から３のいずれか一項に記載のアンテナ。
【請求項７】
前記誘電体リングの、および前記導波管の出力面から最も遠い層は、前記導波管および前記高周波フィードに同時には接続されない、請求項６に記載のアンテナ。
【請求項８】
前記誘電体リングの各層の高さは、前記第１の電磁波の波長の１／４である、請求項６に記載のアンテナ。
【請求項９】
前記誘電体リングの比誘電率は、２から４の間である、請求項６に記載のアンテナ。
【発明の詳細な説明】
【技術分野】
【０００１】
本出願は、無線通信の分野に関し、特に、デュアルバンドパラボラアンテナに使用することができる同軸デュアルバンドアンテナに関する。
【背景技術】
【０００２】
無線通信技術の急速な発展に伴い、マイクロ波のポイントツーポイント通信における伝送容量は継続的に増大しており、Ｅ−ｂａｎｄ（７１から７６ＧＨｚ、８１から８６ＧＨｚ）周波数帯のマイクロ波デバイスは、基地局バックホールネットワークにおいてますます重要な役割を果たす。しかしながら、Ｅ−ｂａｎｄ周波数帯の電磁波における「レイン・フェード」が非常に深刻であるため、Ｅ−ｂａｎｄマイクロ波のシングルホップ距離は通常３キロメートル未満である。Ｅ−ｂａｎｄマイクロ波のシングルホップ距離を増大させ、且つ現場展開コストを低減するために、Ｅ−ｂａｎｄ周波数帯のマイクロ波デバイスと別の低周波数マイクロ波デバイスとを協同して使用する解決策が提供されている。比較的大雨が降っているときに、たとえＥ−ｂａｎｄマイクロ波デバイスが正常に動作できなくても、低周波マイクロ波デバイスは依然として正常に動作することができる。
【０００３】
この解決策では、デュアルバンドパラボラアンテナが使用され、デュアルバンドパラボラアンテナの構造が図１に示されている。デュアルバンドパラボラアンテナは、主反射器、副反射器、低周波フィード、および高周波フィードを含む。高周波フィードは低周波フィード内に挿入され、２つのフィードは同じ軸を使用し、同軸デュアルバンドアンテナを形成する。同軸デュアルバンドアンテナの２つのフィードは主反射器および副反射器を共有し、２つのフィードの位相中心は副反射器の焦点で重なり合わされて、デュアルバンド多重化機能を実現する。
【０００４】
従来技術において、同軸デュアルバンドアンテナの低周波フィードは通常、大開口のホーン形状であり、誘電体ピンが高周波フィードに挿入される必要がある。高周波フィードおよび低周波フィードの双方は、放射効率が比較的低く、ゲインがシングルバンドアンテナのゲインレベルに達することができないという問題を有している。
【発明の概要】
【課題を解決するための手段】
【０００５】
本願の実施形態は、同軸デュアルバンドアンテナを提供する。既存の同軸デュアルバンドアンテナにおいて高周波フィードおよび低周波フィードの放射効率が比較的低く、ゲインがシングルバンドアンテナのゲインレベルに達することができないという問題を解決するために、大開口のホーン形状導波路の代わりに、直径が変化しない円形導波路または小さいフレア角を有する円形導波路が使用され、低周波数フィードとして機能する。
【０００６】
第１の態様によれば、同軸デュアルバンドアンテナが提供され、導波管、環状溝、高周波フィードおよび誘電体リングを含み、導波管は管状構造を有しており、第１の電磁波を伝送するように構成されており、その開口方向が第１の電磁波の出力方向と同じである環状溝が導波管の壁上にあり、第１の電磁波の周波数は高周波フィードによって伝送される電磁波の周波数より低い。高周波フィードは導波管内に位置しており、導波管と同じ軸を有しており、第１の電磁波は導波管内で横電界モードＴＥ１１を励起する。誘電体リングが導波管と高周波フィードとの間に充填され、誘電体リングは多層構造を有しており、導波管と同じ軸を有している。誘電体リングの層にあり、および軸に垂直な平面の領域の大きさは交互に変化し、誘電体リングの高さは導波管の高さよりも低い。
【０００７】
本願の実施形態において提供される同軸デュアルバンドアンテナは、低周波数で第１の電磁波のＴＥ１１モードを励起し、導波管内で高次モードは生成されない。これは、導波管内の高次モードの伝送損失を回避し、デュアルバンドアンテナの低周波放射効率を改善する。加えて、導波管内で高次モードが生成されないので、導波管内に位置する高周波フィードが高次モードの電磁場分布に影響を及ぼすことを心配する必要がない。従って、誘電体ピンを省略することができ、デュアルバンドアンテナの高周波放射効率を改善することができる。
【０００８】
第１の態様に関連して、第１の態様の第１の可能な実施態様では、高周波フィードの高さは導波管の高さと同じである。
【０００９】
第１の態様に関連して、第１の態様の第２の可能な実施態様では、導波管の内壁の半径および高周波フィードの外壁の半径の合計は、第１の電磁波の波長の１／πより大きく、２つの半径の間の差は、第１の電磁波の波長の１／２未満である。本実施形態では、ＴＥ１１モードのみがアンテナにおいて存在し、高次モードは存在しないことを保証することができるため、導波路における高次モードの伝送損失は回避される。
【００１０】
第１の態様、または第１の態様の第１もしくは第２の可能な実施態様に関連して、第１の態様の第３の可能な実施態様では、環状溝の半径と導波管の内壁の半径との間の差は、第１の電磁波の波長の１／８である。
【００１１】
第１の態様の第３の可能な実施態様に関連して、第１の態様の第４の可能な実施態様では、環状溝の深さは、第１の電磁波の波長の１／５から１／４の間であり、環状溝の幅は、第１の電磁波の波長の１／８である。
【００１２】
環状溝の大きさの要件は、前述の２つの実施形態において提供される。大きさの要件を満たす環状溝によって励起される高次モードは、ＴＥ１１モードと重ね合わせてもよく、それにより、Ｅ面上の第１の電磁波のビーム幅は、Ｈ面上のビーム幅と一致し、第１の電磁波の放射効率が最大化される。
【００１３】
第１の態様、または第１の態様の第１から第４の可能な実施態様のいずれか１つに関連して、第１の態様の第５の可能な実施態様では、誘電体リングの２つの隣接する層の一方のみの外壁が導波管の内壁に接続され、誘電体リングの層の内壁は高周波フィードの外壁に接続されている。これは、密封機能と防水機能を実現し、高周波フィードを固定することができる。
【００１４】
第１の態様、または第１の態様の第１から第５の可能な実施態様のいずれか１つに関連して、第１の態様の第６の可能な実施態様では、誘電体リングの、および導波管の出力面から最も遠い層は、導波管および高周波フィードに同時には接続されない。これは、誘電体リング上での第１の電磁波の反射を低減し、放射効率を改善することができる。
【００１５】
第１の態様の第６の可能な実施態様に関連して、第１の態様の第７の可能な実施態様では、誘電体リングの各層の高さは第１の電磁波の波長の１／４である。
【００１６】
第１の態様の第６または第７の可能な実施態様に関連して、第１の態様の第８の可能な実施態様では、誘電体リングの比誘電率は２から４の間である。
【００１７】
誘電体リングの各層の高さおよび比誘電率は、前述の２つの実施形態に記載されている。誘電体リングの各層の高さおよび比誘電率は、同軸デュアルバンドアンテナの特性インピーダンスおよび自由空間の波動インピーダンスを互いに一致させること、および放射効率を改善することを可能にしている。
【００１８】
本願において提供される同軸デュアルバンドアンテナは、低周波数で第１の電磁波のＴＥ１１モードを励起し、導波管の内部で高次モードは生成されない。これは、導波管内の高次モードの伝送損失を回避し、デュアルバンドアンテナの低周波放射効率が改善する。加えて、高次モードが導波管の内部で生成されないので、導波管内に位置する高周波フィードが高次モードの電磁場分布に影響を及ぼすことを心配する必要がない。従って、誘電体ピンを省略することができ、デュアルバンドアンテナの高周波放射効率を改善することができる。
【図面の簡単な説明】
【００１９】
【図１】既存のデュアルバンドパラボラアンテナの概略構造図である。
【図２】既存の同軸デュアルバンドアンテナの概略構造図である。
【図３（ａ）】本願の実施形態による同軸デュアルバンドアンテナの概略構造図である。
【図３（ｂ）】本願の別の実施形態による同軸デュアルバンドアンテナの概略構造図である。
【図３（ｃ）】本願の別の実施形態による同軸デュアルバンドアンテナの概略構造図である。
【図４（ａ）】本願の実施形態による同軸デュアルバンドアンテナにおけるＴＥ１１モードの電場の分布図である。
【図４（ｂ）】本願の実施形態による同軸デュアルバンドアンテナにおけるＴＭ１１モードの電場の分布図である。
【図４（ｃ）】同軸デュアルバンドアンテナにおけるＴＥ１１モードおよびＴＭ１１モードが本願の実施形態に従って重ね合わされた後に得られる電場の分布図である。
【図５（ａ）】本願の別の実施形態による同軸デュアルバンドアンテナの概略構造図である。
【図５（ｂ）】本願の別の実施形態による同軸デュアルバンドアンテナの概略構造図である。
【図６（ａ）】本願の別の実施形態による同軸デュアルバンドアンテナの概略構造図である。
【図６（ｂ）】本願の別の実施形態による同軸デュアルバンドアンテナの概略構造図である。
【図７（ａ）】本願の別の実施形態による同軸デュアルバンドアンテナの概略構造図である。
【図７（ｂ）】本願の別の実施形態による同軸デュアルバンドアンテナの概略構造図である。
【図８（ａ）】本願の別の実施形態による同軸デュアルバンドアンテナの概略構造図である。
【図８（ｂ）】本願の別の実施形態による同軸デュアルバンドアンテナの概略構造図である。
【発明を実施するための形態】
【００２０】
以下では、本願の実施形態における添付の図面を参照して、本願の実施形態における技術的解決策を説明する。
【００２１】
既存の同軸デュアルバンドアンテナの構造を図２に示す。同軸デュアルバンドアンテナの低周波フィード２０１は大開口のホーン形状導波路であり、高周波フィード２０２は導波管内に包含され、誘電体ピン２０３が高周波フィード２０２内に挿入されている。ホーン形状導波路は、反射を低減するために、導波路の特性インピーダンスと自由空間の波動インピーダンスとの間のマッチングを容易にするために使用される。導波路の半径が大きくなると、高次モードが励起され、高次モードと横電界モードＴＥ１１が作用し、Ｅ面上の出力電磁波のビーム幅はＨ面上のビーム幅と一致し、最良のゲイン効果が達成される。Ｅ面は、電場が位置する方向および最も高い放射強度を有する方向を含む平面であり、Ｈ面は、磁界が位置する方向および最も高い放射強度を有する方向を含む平面である。しかしながら、高次モードは、大開口のホーン形状導波路の内部で発生し、導波路内の伝送損失は比較的大きい。従って、デュアルバンドアンテナの低周波放射効率は比較的低い。
【００２２】
高周波フィードは金属製であり、高次モードの電磁場分布に影響を与える。従って、高周波フィードは、大開口のホーン形状導波路の開口部まで直接延在することはできず、誘電体ピンが高周波フィードの位相中心を大開口のホーン形状導波路の開口部に案内する必要がある。しかしながら、誘電体ピンの加工は容易ではなく、誘電体ピンの損失は比較的大きい。従って、デュアルバンドアンテナの高周波ゲインはシングルバンドアンテナのレベルには到達することができない。
【００２３】
本出願の実施形態は、同軸デュアルバンドアンテナを提供する。図３（ａ）に示すように、アンテナは、導波菅３０１と、環状溝３０２と、高周波フィード３０３と、誘電体リング３０４とを含む。
【００２４】
導波路３０１は管状構造を有しており、第１の電磁波を伝送するように構成され、その開口方向が第１の電磁波の出力方向と同じである環状溝３０２は、導波管３０１の壁上にあり、第１の電磁波の周波数は、高周波フィード３０３によって伝送される電磁波の周波数よりも低い。
【００２５】
高周波フィード３０３は、導波管３０１内に置かれ、導波管３０１と同じ軸を有しており、第１の電磁波は、導波管３０１において横電界モードＴＥ１１を励起する。
【００２６】
誘電体リング３０４は、導波管３０１と高周波フィード３０３との間に充填されている。誘電体リング３０４は、多層構造を有しており、導波管３０１と同じ軸を有している。誘電体リング３０４の層における、および軸に垂直な平面の領域の大きさは交互に変化する。誘電体リング３０４の高さは、導波管３０１の高さよりも低い。
【００２７】
任意選択で、高周波フィード３０３の高さは導波管３０１の高さと同じである。高周波フィードの高さが導波管の高さよりもわずかに低い場合も可能であることを理解されたい。
【００２８】
本願のこの実施形態において、導波管は、第１の電磁波のＴＥ１１モードを低周波数で励起し、高次モードは導波管の内部で生成されない。これは、導波路における高次モードの伝送損失が回避され、デュアルバンドアンテナの低周波放射効率を改善する。加えて、高次モードが導波管の内部で生成されないので、導波管内に位置する高周波フィードが高次モードの電磁場分布に影響を及ぼすことを心配する必要がない。従って、誘電体ピンを省略することができ、デュアルバンドアンテナの高周波放射効率が改善され得る。
【００２９】
図３（ａ）に示された同軸デュアルバンドアンテナにおいて、誘電体リング３０４の内壁は、高周波フィード３０３の外壁に接続されていることが理解されたい。これは、本願で提供される同軸デュアルバンドアンテナの可能な構造にすぎない。誘電体リング３０４の層における、および軸に垂直な平面の領域の大きさが交互に変化するならば、図３（ｂ）に示すように、アンテナにおいて、誘電体リング３０４の外壁は、導波管３０１の内壁に接続されてもよく、または図３（ｃ）に示すように、誘電体リング３０４の一つ以上の層の内壁が高周波フィード３０３の外壁に接続されてもよく、誘電体リングの残りの層における外壁が導波管３０１の内壁に接続されてもよい。
【００３０】
導波路の断面における電磁場分布は、導波路の伝搬モードと称されることを理解されたい。様々な伝搬モードが様々なカットオフ波長を有しており、カットオフ波長のないモードまたは最長のカットオフ波長を有するモードは、ドミナントモードまたはベースモードと称され、より短いカットオフ波長を有する別のモードは高次モードと称される。伝搬モードのより高い次数は、より短いカットオフ波長を示す。本願のこの実施形態では、ＴＥ１１モードはベースモードとして使用され、ＴＥ１１モードのカットオフ波長よりも短いカットオフ波長を有する別のモードが高次モードと称される。
【００３１】
本願のこの実施形態において提供される導波管は、円筒形、矩形管などの形状であってもよいことが理解されたい。第１の電磁波の基本モードのみが、導波管、高周波フィード、環状溝および誘電体リングを含む同軸デュアルバンドアンテナにおいて励起されるのであれば、第１の電磁波を出力するための口をわずかに広げてもよい。導波管の壁は通常金属製である。
【００３２】
任意選択で、導波管３０１の内壁の半径と高周波フィード３０３の外壁との半径の合計は、第１の電磁波の波長の１／πより大きく、２つの半径の間の差は、第１の電磁波の波長の１／２未満であり、第１の電磁波の周波数は、高周波フィード３０３によって伝送される電磁波の周波数よりも低い。
【００３３】
具体的には、本願での高周波フィード３０３および導波管３０１を含む同軸導波管が例として使用される。異なるモードでの第１の電磁波のカットオフ波長は、同軸導波管における内側導波路の外径ａ（高周波フィード３０３の外壁の半径）および外側導波路の内径ｂ（導波管３０１の内壁の半径）に関連している。対応関係が表１に列挙される。
【００３４】
【表１】
2019523615.tif 000003
【００３５】
第１の電磁波の波長がλである場合に、同軸導波路が（ｂ＋ａ）＞λ／πおよび（ｂ−ａ）＜λ／２の条件を満たす場合、第１の電磁波がＴＥ１１モードを励起し得ることが表１から分かる。同軸導波路中のｂがより大きくなり、その結果（ｂ−ａ）＞λ／２および（ｂ＋ａ）＜２λ／πとなる場合、第１の電磁波は、理論的にはＴＥ１１、ＴＭｍ１、ＴＥ０１などのモードを励起し得る。しかしながら、電磁場モードが変化するときに連続的な接線成分は保証される必要があり、すなわち、ｍが一定となる必要がある。従って、２つのモード（ＴＥ１１およびＴＭ１１）だけが実際には存在する。同軸導波路における外側導波路の内径ｂが増加するにつれて、より多くのモードが徐々に存在する。
【００３６】
横電磁モードＴＥＭがまた同軸導波路内に存在してもよく、カットオフ波長はこのモードにおいて存在しないか、またはこのモードにおけるカットオフ波長は無限に長いことが理解されたい。しかしながら、同軸デュアルバンドアンテナで励起される前に、ＴＥＭモードは対称的な給電方式で抑制される。従って、このモードは、本願のこの実施形態において考慮されていない。
【００３７】
さらに、図４（ａ）に示すように、ＴＥ１１モードのみが導波管内に存在し、導波管内におけるＴＥ１１モードの電場分布は非均一、すなわち第１の電磁波の電場分布が非均一である。従って、Ｅ面上の第１の電磁波のビーム幅は、Ｈ面上のビーム幅と一致していない。前述の問題に対して、本願のこの実施形態では、その開口方向が第１の電磁波の出力方向と同じである環状溝３０２が、導波管３０１の壁上で掘り出され、高次モードが導波管３０１の壁の不連続性を使用することにより励起され、高次モードは、ＴＥ１１モードの電場分布を均一にするために使用される。環状溝３０２の深さおよび幅、ならびに環状溝３０２から導波管３０１の内壁までの距離はすべて、高次モードの次数および振幅に影響を及ぼす。
【００３８】
任意選択で、環状溝３０２の半径と導波管３０１の内壁の半径との間の差は、第１の電磁波の波長の１／８である。環状溝３０２の深さは、第１の電磁波の波長の１／５から１／４の間であり、環状溝３０２の幅は、第１の電磁波の波長の１／８である。具体的には、導波管の出力端における壁面上にある位置で、導波管の内壁との距離が第１の電磁波の波長の１／８であり、その幅および深さが前述の要求を満たす環が、環状溝３０２を形成するために壁上で掘り出される。環状溝３０２は、壁の表面上に不連続性を生じさせて、それにより高次モードが励起される。環状溝３０２の位置、幅、および深さは、前述の要求を満たし、それにより適切な振幅を有する高次モードＴＭ１１を生成することができる。ＴＭ１１モードの電場分布が図４（ｂ）に示される。図４（ｃ）に示すように、ＴＥ１１モードおよびＴＭ１１モードが重なり合うことにより、第１の電磁波の電場分布は均一になる。結果として、Ｅ面上の第１の電磁波のビーム幅は、Ｈ面上のビーム幅と一致しており、ゲイン効果が最大化される。
【００３９】
加えて、大開口のホーン形状導波路は、本願のこの実施形態では省略されている。従って、同軸デュアルバンドアンテナの特性インピーダンスおよび自由空間の波動インピーダンスは、導波菅の直径を徐々に大きくすることにより、導波管の出力端における特性インピーダンスを徐々に変化させることにより互いに一致することができなくなる。本願のこの実施形態において、インピーダンスマッチングは、以下の２つの方法で実施されてもよい。
【００４０】
（１）導波管３０１と高周波フィード３０３との間に充填された誘電体リング３０４は、インピーダンスマッチングをとるために使用される。誘電体リング３０４は、多層構造を有しており、導波管３０１と同じ軸を有している。誘電体リング３０４の層における、および軸に垂直な平面の領域の大きさは交互に変化する。誘電体リング３０４の高さは、導波管３０１の高さよりも低い。誘電体リング３０４の構造は、図３（ａ）、図３（ｂ）および図３（ｃ）に示される任意の構造であり得る。
【００４１】
インピーダンスマッチングの原理によれば、導波路の負荷インピーダンスおよび特性インピーダンスが一致しない場合、エネルギーが負荷に伝達されて、且つ後ろに反射されないことを保証するために、負荷と導波路との間にマッチングセクションが必要とされる。マッチングセクションの特性インピーダンスＺ０が下記式を満たすとき、導波路の特性インピーダンスはマッチングセクションによって変換された後で負荷インピーダンスに等しくなる。
【００４２】
【数１】
2019523615.tif 000004
【００４３】
Ｒ０は、導波路の特性インピーダンスであり、ＲＬは、負荷インピーダンスである。
【００４４】
本発明のこの実施形態において、負荷インピーダンスは自由空間の波動インピーダンスであり、導波路の特性インピーダンスは同軸デュアルバンドアンテナの特性インピーダンスである。導波管の特性インピーダンスは、導波管内に誘電体を充填することによって変えることができる。すなわち、充填された誘電体リングは、マッチングセクションを形成する。しかしながら、導波管が誘電体で完全に充填されると、導波管において、特性インピーダンスの突然の変化が誘電体と空気との間の接触面上で生じ、強い反射がある。
【００４５】
本願で使用される誘電体リング３０４は、導波管３０１と高周波フィード３０３との間の隙間を完全に充填するものではなく、導波管３０１と同じ軸を有する多層構造を使用している。誘電体リング３０４の層における、および軸に垂直な平面の領域の大きさは交互に変化し、誘電体および空気の混合物を形成する。従って、等価比誘電率はもはや材料の比誘電率と等しくなく、制御および変更することができる。そのような制御および変更の目的は、マッチングセクションの特性インピーダンスを前述の式を用いて計算することにより得られた値に到達させることである。
【００４６】
任意選択で、誘電体リング３０４の各層の高さは、第１の電磁波の波長の１／４であり、第１の電磁波は同軸デュアルバンドアンテナによって伝送される低周波電磁波である。
【００４７】
任意選択で、図５（ａ）または図５（ｂ）で示された構造において、誘電体リング３０４の二つの隣接する層のうちの一方のみの外壁が導波管３０１の内壁に接続され、誘電体リング３０４の層の内壁が高周波フィード３０３の外壁に接続されている。このようにして、誘電体リング３０４の多層の内壁は、高周波フィード３０３の外壁に接続され、誘電体リング３０４の多層の外壁は、導波管３０１の内壁に接続されている。これは、気密機能と防水機能を実現することができ、その間に高周波フィード３０３を固定することができる。結果として、同軸デュアルバンドアンテナは、衛星通信に適用できるだけでなく、地上でも適用可能である。導波管３０１および高周波フィード３０３の双方に接続されている誘電体リングの層以外での、誘電体リング３０４の他の層における内壁と外壁との間の間隔は、前述の等価誘電率の原理に従って設計および最適化される必要がある。
【００４８】
任意選択で、誘電体リング３０４の、および導波管３０１の出力面から最も遠い層は、第１の電磁波の反射を低減するために、導波管３０１および高周波フィード３０３に同時に接続されていない。誘電体リングの、および出力面から最も遠い層は、図５（ａ）および図５（ｂ）に示される誘電体リングの下部層である。
【００４９】
比誘電率が２から４の間の誘電体材料、例えば、ポリカーボネート、ポリスチレン、およびポリテトラフルオロエチレンが本願のこの実施形態における誘電体リングに対して使用されてもよい。本願のこの実施形態において、特定の材料は限定されない。
【００５０】
材料が決定された後で、誘電体リング３０４の各層における内壁と外壁との間の間隔は、第１の電磁波の波長にさらに関連している。以下は、第１の電磁波の周波数が１８ＧＨｚである特定の実施形態を提供する。比誘電率が２．８であるポリカーボネートが誘電体リングを準備するために使用され、導波管の内壁の半径がＲであり、誘電体リングが６つの層を有すると仮定する。図５（ａ）に示すように、誘電体リングの層の半径の長さは、上から下に交互に変化し、誘電体リングの第１の層、第３の層および第５の層の外壁の半径はＲであり、誘電体リングの第２の層における外壁の半径は０．７８Ｒであり、誘電体リングの第４の層における外壁の半径は０．７Ｒであり、誘電体リングの第６層における外壁の半径は０．７Ｒである。マッチングセクションの特性インピーダンスは、前述のサイズを有する誘電体リングを用いることで式（１）を満たすことができ、同軸デュアルバンドアンテナの特性インピーダンスおよび自由空間の波動インピーダンスが互いにマッチングし、電磁波の反射が低減され、放射効率が改善される。
【００５１】
（２）インピーダンスマッチングを実現するために、導波管内に複数の金属リング６０１を配置する。金属リングはマッチングセクションを形成する。可能な構造が図６（ａ）に示されており、各金属リング６０１の内壁は、高周波フィード３０３の外壁に接続されている。各金属リング６０１の半径および金属リング６０１間の間隔を変えることにより、各金属リング６０１の等価インダクタンスおよび等価静電容量を変えることができ、それにより、マッチングセクションの特性インピーダンスは、式（１）を用いる計算により得られた値に達する。
【００５２】
任意選択で、誘電体層６０２が、導波管３０１の内側で、出力面に近い位置でさらに充填されてもよい。図６（ｂ）に示すように、誘電体層６０２の内壁は高周波フィード３０３の外壁に接続され、誘電体層６０２の外壁は導波管３０１の内壁に接続されている。これは気密機能および防水機能を実現することができ、且つ高周波フィードを固定することができる。硬質材料が誘電体層６０２に対して使用されてもよく、特定の材料は本願において限定されない。
【００５３】
図６（ａ）および図６（ｂ）は本願のこの実施形態における可能な構造のみを示していることを理解されたい。図７（ａ）および図７（ｂ）に示すように、金属リング６０１の外壁は、マッチングセクションを形成するために導波管３０１の内壁に接続されてもよい。あるいは、図８（ａ）および図８（ｂ）に示すように、マッチングセクションを形成するために、いくつかの金属リング６０１の外壁が導波管３０１の内壁に接続され、他の金属リング６０１の内壁が高周波フィード３０３の外壁に接続されている。本願のこの実施形態において、特定の実施形態に限定されない。
【００５４】
本願において提供される同軸デュアルバンドアンテナは、以下の利点を有している。導波管３０１は、第１の電磁波のＴＥ１１モードを低周波数で励起し、高次モードは導波管３０１の内部で生成されない。これは、導波管３０１内の高次モードの伝送損失を回避し、デュアルバンドアンテナの低周波放射効率を改善する。加えて、高次モードが導波管３０１の内部で生成されないので、導波管３０１内に位置する高周波フィード３０３が高次モードの電磁場分布に影響を与えることを心配する必要がない。従って、誘電体ピンを省略することができ、デュアルバンドアンテナの高周波放射効率を改善することができる。加えて、環状溝３０２および誘電体リング３０４の設計に従い、Ｅ面上の第１の電磁波のビーム幅は、Ｈ面上のビーム幅と一致することができ、同軸デュアルバンドアンテナの特性インピーダンスおよび自由空間の波動インピーダンスは互いにマッチングすることができる。
【００５５】
前述の説明は、本願の単なる特定の実施形態であるが、本願の保護範囲を限定することを意図するものではない。本願で開示された技術的範囲内で当業者によって容易に考え出されるいかなる変形または置換も、本願の保護範囲内に入るものとする。従って、本願の保護範囲は特許請求の範囲の保護範囲に従うものとする。
【符号の説明】
【００５６】
２０１  低周波フィード
２０２  高周波フィード
２０３  誘電体ピン
３０１  導波管
３０２  環状溝
３０３  高周波フィード
３０４  誘電体リング
６０１  金属リング
６０２  誘電体層
【図１】
2019523615.tif 000005
【図２】
2019523615.tif 000006
【図３（ａ）】
2019523615.tif 000007
【図３（ｂ）】
2019523615.tif 000008
【図３（ｃ）】
2019523615.tif 000009
【図４（ａ）】
2019523615.tif 000010
【図４（ｂ）】
2019523615.tif 000011
【図４（ｃ）】
2019523615.tif 000012
【図５（ａ）】
2019523615.tif 000013
【図５（ｂ）】
2019523615.tif 000014
【図６（ａ）】
2019523615.tif 000015
【図６（ｂ）】
2019523615.tif 000016
【図７（ａ）】
2019523615.tif 000017
【図７（ｂ）】
2019523615.tif 000018
【図８（ａ）】
2019523615.tif 000019
【図８（ｂ）】
2019523615.tif 000020
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
導波管、環状溝、高周波フィード、および誘電体リングを含む同軸デュアルバンドアンテナであって、
前記導波管は管状構造を有しており、第１の電磁波を伝送するように構成されており、その開口方向が前記第１の電磁波の出力方向と同じである前記環状溝が前記導波管の壁上にあり、前記第１の電磁波の周波数は、前記高周波フィードによって伝送される電磁波の周波数よりも低く、
前記高周波フィードは前記導波管内に位置しており、前記導波管と同じ軸を有しており、前記第１の電磁波は前記導波管内で横電界モードＴＥ１１を励起し、
前記誘電体リングは前記導波管と前記高周波フィードとの間に充填され、前記誘電体リングは多層構造を有しており、前記導波管と同じ軸を有しており、前記誘電体リングの層における、および前記軸に垂直な平面の領域の大きさは交互に変化し、前記誘電体リングの高さは前記導波管の高さよりも低い、同軸デュアルバンドアンテナ。
【請求項２】
前記高周波フィードの高さは、前記導波管の高さと同じである、請求項１に記載の同軸デュアルバンドアンテナ。
【請求項３】
前記導波管の内壁の半径および前記高周波フィードの外壁の半径の合計が、前記第１の電磁波の波長の１／πより大きく、２つの半径の間の差は、前記第１の電磁波の波長の１／２より小さい、請求項１に記載の同軸デュアルバンドアンテナ。
【請求項４】
前記環状溝の半径と前記導波管の前記内壁の半径との間の差が、前記第１の電磁波の波長の１／８である、請求項１から３のいずれか一項に記載の同軸デュアルバンドアンテナ。
【請求項５】
前記環状溝の深さは、前記第１の電磁波の波長の１／５から１／４の間であり、前記環状溝の幅は、前記第１の電磁波の波長の１／８である、請求項４に記載の同軸デュアルバンドアンテナ。
【請求項６】
前記誘電体リングの隣接する２つの層のうちの一方のみの外壁が前記導波管の前記内壁に接続されており、前記誘電体リングの前記層における内壁が前記高周波フィードの前記外壁に接続されている、請求項１から３のいずれか一項に記載の同軸デュアルバンドアンテナ。
【請求項７】
前記誘電体リングの、および前記導波管の出力面から最も遠い層は、前記導波管および前記高周波フィードに同時には接続されない、請求項６に記載の同軸デュアルバンドアンテナ。
【請求項８】
前記誘電体リングの各層の高さは、前記第１の電磁波の波長の１／４である、請求項６に記載の同軸デュアルバンドアンテナ。
【請求項９】
前記誘電体リングの比誘電率は、２から４の間である、請求項６に記載の同軸デュアルバンドアンテナ。
【請求項１０】
主反射器、副反射器および請求項１から９のいずれか一項に記載の同軸デュアルバンドアンテナを含む、デュアルバンドパラボラアンテナ。
【国際調査報告】
2019523615.tif 000021
2019523615.tif 000022
2019523615.tif 000023
2019523615.tif 000024